(57)【特許請求の範囲】
【請求項１】
複数のアンテナにアンテナウェイトを適用するアダプティブアレイ方式の無線基地局であって、
前記アンテナウェイトの算出で参照される参照信号のサービング無線端末による送信に用いられることが可能な参照信号周波数帯の情報を前記サービング無線端末へ送信する送信部を備え、
前記送信部は、周波数帯を示す第１の参照信号周波数帯の情報と、所定の周期で切り替わる周波数帯を示す第２の参照信号送信周波数帯の情報との少なくとも何れかを送信し、
前記第１の参照信号周波数帯は、前記第２の参照信号周波数帯よりも広く、
前記送信部は、前記サービング無線端末へ送信すべき下りデータ量が第１の閾値以上である場合に、前記第１の参照信号送信周波数帯の情報を送信し、前記サービング無線端末へ送信すべき下りデータ量が第１の閾値未満である場合に、前記第２の参照信号周波数帯の情報を送信する無線基地局。
【請求項２】
複数のアンテナにアンテナウェイトを適用するアダプティブアレイ方式の無線基地局であって、
前記アンテナウェイトの算出で参照される参照信号のサービング無線端末による送信に用いられることが可能な参照信号周波数帯の情報を前記サービング無線端末へ送信する送信部を備え、
前記送信部は、周波数帯を示す第１の参照信号周波数帯の情報と、所定の周期で切り替わる周波数帯を示す第２の参照信号送信周波数帯の情報との少なくとも何れかを送信し、
前記送信部は、前記サービング無線端末における通信品質が第２の閾値未満である場合に、前記参照信号の送信停止を要求する送信停止要求情報を前記サービング無線端末へ送信する無線基地局。
【請求項３】
複数のアンテナにアンテナウェイトを適用するアダプティブアレイ方式の無線基地局における通信制御方法であって、
前記アンテナウェイトの算出で参照される参照信号のサービング無線端末による送信に用いられることが可能な参照信号周波数帯の情報を前記サービング無線端末へ送信するステップを備え、
前記送信するステップは、所定の周期で切り替わる周波数帯を示す第２の参照信号送信周波数帯の情報と、前記第２の参照信号送信周波数帯よりも広い周波数帯を示す第１の参照信号周波数帯の情報との少なくとも何れかを送信し、
前記送信するステップは、前記サービング無線端末へ送信すべき下りデータ量が第１の閾値以上である場合に、前記第１の参照信号送信周波数帯の情報を送信し、前記サービング無線端末へ送信すべき下りデータ量が第１の閾値未満である場合に、前記第２の参照信号周波数帯の情報を送信する通信制御方法。
【請求項４】
複数のアンテナにアンテナウェイトを適用するアダプティブアレイ方式の無線基地局における通信制御方法であって、
前記アンテナウェイトの算出で参照される参照信号のサービング無線端末による送信に用いられることが可能な参照信号周波数帯の情報を前記サービング無線端末へ送信するステップを備え、
前記送信するステップは、所定の周期で切り替わる周波数帯を示す第２の参照信号送信周波数帯の情報と、前記第２の参照信号送信周波数帯よりも広い周波数帯を示す第１の参照信号周波数帯の情報との少なくとも何れかを送信し、
前記送信するステップは、前記サービング無線端末における通信品質が第２の閾値未満である場合に、前記参照信号の送信停止を要求する送信停止要求情報を前記サービング無線端末へ送信する通信制御方法。
【請求項５】
複数のアンテナにアンテナウェイトを適用するアダプティブアレイ方式の無線基地局であって、
前記アンテナウェイトの算出で参照される参照信号のサービング無線端末による送信に用いられることが可能な参照信号周波数帯の情報を前記サービング無線端末へ送信する送信部を備え、
前記送信部は、周波数帯を示す第１の参照信号周波数帯の情報、及び、前記第１の参照信号送信周波数帯を用いて参照信号を送信する際の送信タイミングを示す第１のシンボル位置の情報と、所定の周期で切り替わる周波数帯を示す第２の参照信号送信周波数帯の情報、及び、前記第２の参照信号送信周波数帯を用いて参照信号を送信する際の送信タイミングを示す第２のシンボル位置の情報との少なくとも何れかを送信し、
前記第１のシンボル位置は、第１の無線リソースのタイミングに対応付けられ、前記第２のシンボル位置は、第２の無線リソースのタイミングに対応付けられており、
前記第１の参照信号周波数帯は、前記第２の参照信号周波数帯よりも広く、
前記送信部は、前記サービング無線端末へ送信すべき下りデータ量が第１の閾値以上である場合に、前記第１の参照信号送信周波数帯の情報及び前記第１のシンボル位置の情報を送信し、前記サービング無線端末へ送信すべき下りデータ量が第１の閾値未満である場合に、前記第２の参照信号周波数帯の情報及び前記第２のシンボル位置の情報を送信する無線基地局。
【請求項６】
複数のアンテナにアンテナウェイトを適用するアダプティブアレイ方式の無線基地局であって、
前記アンテナウェイトの算出で参照される参照信号のサービング無線端末による送信に用いられることが可能な参照信号周波数帯の情報を前記サービング無線端末へ送信する送信部を備え、
前記送信部は、周波数帯を示す第１の参照信号周波数帯の情報、及び、前記第１の参照信号送信周波数帯を用いて参照信号を送信する際の送信タイミングを示す第１のシンボル位置の情報と、所定の周期で切り替わる周波数帯を示す第２の参照信号送信周波数帯の情報、及び、前記第２の参照信号送信周波数帯を用いて参照信号を送信する際の送信タイミングを示す第２のシンボル位置の情報との少なくとも何れかを送信し、
前記第１のシンボル位置は、第１の無線リソースのタイミングに対応付けられ、前記第２のシンボル位置は、第２の無線リソースのタイミングに対応付けられており、
前記送信部は、前記サービング無線端末における通信品質が第２の閾値未満である場合に、前記参照信号の送信停止を要求する送信停止要求情報を前記サービング無線端末へ送信する無線基地局。
【請求項７】
複数のアンテナにアンテナウェイトを適用するアダプティブアレイ方式の無線基地局における通信制御方法であって、
前記アンテナウェイトの算出で参照される参照信号のサービング無線端末による送信に用いられることが可能な参照信号周波数帯の情報を前記サービング無線端末へ送信するステップを備え、
前記送信するステップは、周波数帯を示す第１の参照信号周波数帯の情報、及び、前記第１の参照信号送信周波数帯を用いて参照信号を送信する際の送信タイミングを示す第１のシンボル位置の情報と、所定の周期で切り替わる周波数帯を示す第２の参照信号送信周波数帯の情報、及び、前記第２の参照信号送信周波数帯を用いて参照信号を送信する際の送信タイミングを示す第２のシンボル位置の情報との少なくとも何れかを送信し、
前記第１のシンボル位置は、第１の無線リソースのタイミングに対応付けられ、前記第２のシンボル位置は、第２の無線リソースのタイミングに対応付けられており、
前記第１の参照信号周波数帯は、前記第２の参照信号周波数帯よりも広く、
前記送信するステップは、前記サービング無線端末へ送信すべき下りデータ量が第１の閾値以上である場合に、前記第１の参照信号送信周波数帯の情報及び前記第１のシンボル位置の情報を送信し、前記サービング無線端末へ送信すべき下りデータ量が第１の閾値未満である場合に、前記第２の参照信号周波数帯の情報及び前記第２のシンボル位置の情報を送信する通信制御方法。
【請求項８】
複数のアンテナにアンテナウェイトを適用するアダプティブアレイ方式の無線基地局における通信制御方法であって、
前記アンテナウェイトの算出で参照される参照信号のサービング無線端末による送信に用いられることが可能な参照信号周波数帯の情報を前記サービング無線端末へ送信するステップを備え、
前記送信するステップは、周波数帯を示す第１の参照信号周波数帯の情報、及び、前記第１の参照信号送信周波数帯を用いて参照信号を送信する際の送信タイミングを示す第１のシンボル位置の情報と、所定の周期で切り替わる周波数帯を示す第２の参照信号送信周波数帯の情報、及び、前記第２の参照信号送信周波数帯を用いて参照信号を送信する際の送信タイミングを示す第２のシンボル位置の情報との少なくとも何れかを送信し、
前記第１のシンボル位置は、第１の無線リソースのタイミングに対応付けられ、前記第２のシンボル位置は、第２の無線リソースのタイミングに対応付けられており、
前記送信するステップは、前記サービング無線端末における通信品質が第２の閾値未満である場合に、前記参照信号の送信停止を要求する送信停止要求情報を前記サービング無線端末へ送信する通信制御方法。
【発明の詳細な説明】
【技術分野】
【０００１】
本発明は、複数のアンテナにアンテナウェイトを適用するアダプティブアレイ方式の無線基地局、及び、当該無線基地局における通信制御方法に関する。
【背景技術】
【０００２】
３ＧＰＰ（Third Generation Partnership Project）において、現在、規格策定中のＬＴＥ（Long Term Evolution）に対応する無線通信システムでは、無線基地局ｅＮＢと無線端末ＵＥとの間の無線通信において、無線基地局ｅＮＢが無線リソースの割り当てを行っている（例えば、非特許文献１参照）。また、ＬＴＥに対応する無線通信システムでは、無線基地局ｅＮＢと無線端末ＵＥとの間の無線通信に、周波数分割複信（ＦＤＤ：Firequency Division Duplex）と、時分割複信（ＴＤＤ：Time Division Duplex）との何れかが採用される。【０００３】
更に、ＴＤＤを採用するＬＴＥ（ＴＤＤ−ＬＴＥ）の無線通信システムでは、無線基地局ｅＮＢと、移動する無線端末ＵＥとの間の通信品質を確保すべく、無線基地局ｅＮＢが、下りの無線信号の送信時に無線端末ＵＥの方向へ適応的にビームを向ける制御（アダプティブアレイ制御）を行うことが検討されている。【０００４】
アンテナウェイトの算出手法として、無線基地局ｅＮＢが、無線端末ＵＥからの上りの無線信号であるサウンディング参照信号（ＳＲＳ）を受信した場合、当該ＳＲＳの周波数帯と同一の周波数帯の下りリソースブロックに対するアンテナウェイトを算出することが想定される。【０００５】
この場合、無線端末ＵＥに割り当てられる下りリソースブロックが頻繁に切り替わると、上述したアンテナウェイトを適切に算出するためには、ＳＲＳの送信周波数帯も下りリソースブロックの切り替えに応じて切り替える必要がある。このため、無線基地局ｅＮＢから無線端末ＵＥへＳＲＳの送信周波数帯の制御メッセージが頻繁に送信されることになり、無線リソースの利用効率が低下する。更には、無線基地局ｅＮＢが複数の無線端末ＵＥに対して無線リソースを効率的に割り当てる場合には、制御を簡易に行えるようにすることも必要となる。【０００６】
上記問題点に鑑み、本発明は、無線リソースの利用効率を向上させた無線基地局及び通信制御方法を提供することを第１の目的とする。また、本発明は、無線リソースの利用効率を向上させつつ、無線リソースを簡易に割り当て可能な無線基地局及び通信制御方法を提供することを第２の目的とする。
【先行技術文献】
【非特許文献】
【０００７】
【非特許文献１】3GPP TS 36.211 V8.7.0 ”Physical Channels and Moduration”, MAY 2009
【発明の概要】
【０００８】
上述した第１の目的を達成するために、本発明は以下のような特徴を有している。本発明の第１の特徴は、複数のアンテナ（アンテナ１０８Ａ、アンテナ１０８Ｂ、アンテナ１０８Ｃ、アンテナ１０８Ｄ）にアンテナウェイトを適用するアダプティブアレイ方式の無線基地局（無線基地局ｅＮＢ１−１）であって、前記アンテナウェイトの算出で参照される参照信号のサービング無線端末による送信に用いられることが可能な参照信号周波数帯の情報を前記サービング無線端末へ送信する送信部（制御部１０２、無線通信部１０６、変調・復調部１０７、アンテナ１０８Ａ、アンテナ１０８Ｂ、アンテナ１０８Ｃ、アンテナ１０８Ｄ）を備え、前記送信部は、固定の周波数帯を示す第１の参照信号周波数帯の情報（ＳＲＳ固定送信要求情報）と、所定の周期で切り替わる周波数帯を示す第２の参照信号送信周波数帯の情報（ＳＲＳホッピング送信要求情報）との少なくとも何れかを送信することを要旨とする。
【０００９】
このような無線基地局は、固定の周波数帯を示す第１の参照信号周波数帯での参照信号の送信要求と、所定の周期で切り替わる周波数帯を示す第２の参照信号送信周波数帯での参照信号の送信要求とを使い分けることで、参照信号の送信要求を減らし、無線リソースを効率的に利用することが可能となる。
【００１０】
本発明の第２の特徴は、前記第１の参照信号周波数帯は、前記第２の参照信号周波数帯よりも広く、前記送信部は、前記サービング無線端末へ送信すべき下りデータ量が第１の閾値以上である場合に、前記第１の参照信号送信周波数帯の情報を送信し、前記サービング無線端末へ送信すべき下りデータ量が第１の閾値未満である場合に、前記第２の参照信号周波数帯の情報を送信することを要旨とする。
【００１１】
本発明の第３の特徴は、前記送信部は、前記サービング無線端末における通信品質が第２の閾値未満である場合に、前記参照信号の送信停止を要求する送信停止要求情報を前記サービング無線端末へ送信することを要旨とする。  
【００１２】
本発明の第４の特徴は、複数のアンテナにアンテナウェイトを適用するアダプティブアレイ方式の無線基地局における通信制御方法であって、前記アンテナウェイトの算出で参照される参照信号のサービング無線端末による送信に用いられることが可能な参照信号周波数帯の情報を前記サービング無線端末へ送信するステップを備え、前記送信するステップは、所定の周期で切り替わる周波数帯を示す第１の参照信号送信周波数帯の情報と、前記第１の参照信号送信周波数帯よりも広い周波数帯を示す第２の参照信号周波数帯の情報との少なくとも何れかを送信することを要旨とする。
【００１３】
上述した第２の目的を達成するために、本発明は以下のような特徴を有している。本発明の第５の特徴は、複数のアンテナ（アンテナ１０８Ａ、アンテナ１０８Ｂ、アンテナ１０８Ｃ、アンテナ１０８Ｄ）にアンテナウェイトを適用するアダプティブアレイ方式の無線基地局（無線基地局ｅＮＢ１−１）であって、前記アンテナウェイトの算出で参照される参照信号のサービング無線端末による送信に用いられることが可能な参照信号周波数帯の情報を前記サービング無線端末へ送信する送信部（制御部１０２、無線通信部１０６、変調・復調部１０７、アンテナ１０８Ａ、アンテナ１０８Ｂ、アンテナ１０８Ｃ、アンテナ１０８Ｄ）を備え、前記送信部は、固定の周波数帯を示す第１の参照信号周波数帯、及び、前記第１の参照信号送信周波数帯を用いて参照信号を送信する際の送信タイミングを示す第１のシンボル位置（ＳＲＳシンボル１）の情報（ＳＲＳ固定送信要求情報）と、所定の周期で切り替わる周波数帯を示す第２の参照信号送信周波数帯の情報、及び、前記第２の参照信号送信周波数帯を用いて参照信号を送信する際の送信タイミングを示す第２のシンボル位置（ＳＲＳシンボル２）の情報（ＳＲＳホッピング送信要求情報）との少なくとも何れかを送信し、前記第１のシンボル位置は、第１の無線リソースのタイミングに対応付けられ、前記第２のシンボル位置は、第２の無線リソースのタイミングに対応付けられていることを要旨とする。
【００１４】
このような無線基地局は、固定の周波数帯を示す第１の参照信号周波数帯での参照信号の送信要求と、所定の周期で切り替わる周波数帯を示す第２の参照信号送信周波数帯での参照信号の送信要求とを使い分けることで、参照信号の送信要求を減らし、無線リソースを効率的に利用することが可能となる。更には、参照信号のシンボル位置と、割り当てられる無線リソースのタイミングとが対応付けられていることにより、無線基地局は、周波数帯が重複するがタイミングが異なる無線リソースを異なるサービング無線端末に容易に割り当てることができる。
【００１５】
本発明の第６の特徴は、前記第１の参照信号周波数帯は、前記第２の参照信号周波数帯よりも広く、前記送信部は、前記サービング無線端末へ送信すべき下りデータ量が第１の閾値以上である場合に、前記第１の参照信号送信周波数帯の情報及び前記第１のシンボル位置の情報を送信し、前記サービング無線端末へ送信すべき下りデータ量が第１の閾値未満である場合に、前記第２の参照信号周波数帯の情報及び前記第２のシンボル位置の情報を送信することを要旨とする。
【００１６】
本発明の第７の特徴は、前記送信部は、前記サービング無線端末における通信品質が第２の閾値未満である場合に、前記参照信号の送信停止を要求する送信停止要求情報を前記サービング無線端末へ送信することを要旨とする。
【００１７】
本発明の第８の特徴は、複数のアンテナにアンテナウェイトを適用するアダプティブアレイ方式の無線基地局における通信制御方法であって、前記アンテナウェイトの算出で参照される参照信号のサービング無線端末による送信に用いられることが可能な参照信号周波数帯の情報を前記サービング無線端末へ送信するステップを備え、前記送信するステップは、固定の周波数帯を示す第１の参照信号周波数帯の情報、及び、前記第１の参照信号送信周波数帯を用いて参照信号を送信する際の送信タイミングを示す第１のシンボル位置の情報と、所定の周期で切り替わる周波数帯を示す第２の参照信号送信周波数帯の情報、及び、前記第２の参照信号送信周波数帯を用いて参照信号を送信する際の送信タイミングを示す第２のシンボル位置の情報との少なくとも何れかを送信し、前記第１のシンボル位置は、第１の無線リソースのタイミングに対応付けられ、前記第２のシンボル位置は、第２の無線リソースのタイミングに対応付けられていることを要旨とする。
【図面の簡単な説明】
【００１８】
【図１】本発明の実施形態に係る無線通信システムの全体概略構成図である。
【図２】本発明の実施形態に係る、リソースブロックのフォーマットを示す図である。
【図３】本発明の実施形態に係る、フレームのフォーマットを示す図である。
【図４】本発明の実施形態に係る、無線基地局と無線端末との間の無線通信において利用可能な無線リソースの周波数帯の構成を示す図である。
【図５】本発明の実施形態に係る、無線基地局の構成図である。
【図６】本発明の実施形態に係る、ＳＲＳの周波数帯と、割り当て下りＲＢとの対応の第１の例を示す図である。
【図７】本発明の実施形態に係る、ＳＲＳの周波数帯と、割り当て下りＲＢとの対応の第２の例を示す図である。
【図８】本発明の実施形態に係る、無線基地局の第１の動作を示すフローチャートである。
【図９】本発明の実施形態に係る、無線基地局の第２の動作を示すフローチャートである。
【発明を実施するための形態】
【００１９】
次に、図面を参照して、本発明の実施形態を説明する。具体的には、（１）無線通信システムの構成、（２）無線基地局の構成、（３）無線基地局の動作、（４）作用・効果、（５）その他の実施形態について説明する。以下の実施形態における図面の記載において、同一又は類似の部分には同一又は類似の符号を付している。
【００２０】
（１）無線通信システムの構成
図１は、本発明の実施形態に係る無線通信システム１０の全体概略構成図である。
【００２１】
図１に示す無線通信システム１０は、ＴＤＤ−ＬＴＥの無線通信システムである。無線通信システム１０は、無線基地局ｅＮＢ１−１と、無線端末ＵＥ２−１及び無線端末ＵＥ２−２とを含む。
【００２２】
無線端末ＵＥ２−１及び無線端末ＵＥ２−２は、無線基地局ｅＮＢ１−１によるリソースブロックの割り当て対象である。この場合、無線基地局ｅＮＢ１−１を基準とすると、無線端末ＵＥ２−１及び無線端末ＵＥ２−２は、サービング無線端末である。以下、無線基地局ｅＮＢ１−１によるリソースブロックの割り当て対象の無線端末を、適宜サービング無線端末ＵＥ２−１及びサービング無線端末ＵＥ２−２と称する。
【００２３】
無線基地局ｅＮＢ１−１と無線端末ＵＥ２−１及び無線端末ＵＥ２−２との間の無線通信には、時分割複信が採用されるとともに、下りの無線通信にはＯＦＤＭＡ（Orthogonal Frequency Division Multiplexing Access）、上りの無線通信にはＳＣ−ＦＤＭＡ（Single Carrier Frequency Division Multiple Access）が採用される。ここで、下りとは、無線基地局ｅＮＢ１−１から無線端末ＵＥ２−１及び無線端末ＵＥ２−２へ向かう方向を意味する。上りとは、無線端末ＵＥ２−１及び無線端末ＵＥ２−２から無線基地局ｅＮＢ１−１へ向かう方向を意味する。
【００２４】
無線基地局ｅＮＢ１−１は、セル３−１内のサービング無線端末ＵＥ２−１及びサービング無線端末ＵＥ２−２に対して、無線リソースとしてのリソースブロック（ＲＢ：Resource Block）を割り当てる。
【００２５】
リソースブロックは、下りの無線通信に用いられる下りリソースブロック（下りＲＢ）と、上りの無線通信に用いられる上りリソースブロック（上りＲＢ）とがある。複数の下りリソースブロックは、周波数方向及び時間方向に配列される。同様に、複数の上りリソースブロックは、周波数方向及び時間方向に配列される。
【００２６】
図２は、リソースブロックのフォーマットを示す図である。リソースブロックは、時間方向では、１［ｍｓ］の時間長を有する１つのサブフレーム内に構成される。サブフレームは、時間帯Ｓ１乃至時間帯Ｓ１４からなる。これら時間帯Ｓ１乃至時間帯Ｓ１４のうち、シンボルＳ１乃至シンボルＳ７は、前半のタイムスロット（タイムスロット１）を構成し、シンボルＳ８乃至シンボルＳ１４は、後半のタイムスロット（タイムスロット２）を構成する。そして、タイムスロット１とタイムスロット２が、リソースブロックに対応する。
【００２７】
図２に示すように、リソースブロックは、周波数方向では、１８０［ｋＨｚ］の周波数幅を有する。また、リソースブロックは、１５［ｋＨｚ］の周波数幅を有する１２個のサブキャリアＦ１乃至Ｆ１２からなる。
【００２８】
また、時間方向においては、複数のサブフレームによって１つのフレームが構成される。図３は、フレームのフォーマットを示す図である。図３（ａ）に示すフレームは、１０個のサブフレームによって構成される。フレームには、１０個のサブフレームが、下りリソースブロックのサブフレーム、下りリソースブロック及び上りリソースブロック双方のサブフレーム（スペシャルサブフレーム：ＳＳＦ）３００、上りリソースブロックのサブフレーム、上りリソースブロックのサブフレーム、下りリソースブロックのサブフレーム、下りリソースブロックのサブフレーム、スペシャルサブフレーム３００、上りリソースブロックのサブフレーム、上りリソースブロックのサブフレーム、下りリソースブロック３１１のサブフレームの順で含まれている。
【００２９】
また、スペシャルサブフレームは、サブフレーム内において、ガードタイムを挟んで前半のタイムスロットが下りの無線通信に利用され、後半のタイムスロットが上りの無線通信に利用される。そして、図３（ｂ）に示すように、スペシャルサブフレームは、その末尾に、ＳＲＳの送信時間帯に対応するＳＲＳシンボル１とＳＲＳシンボル２とを含む。
【００３０】
また、周波数方向においては、無線基地局ｅＮＢ１−１とサービング無線端末ＵＥ２−１及びサービング無線端末ＵＥ２−２との間の無線通信において利用可能な無線リソースの全周波数帯、換言すれば、サービング無線端末ＵＥ２−１及びサービング無線端末ＵＥ２−２に対して割り当て可能な周波数帯（割り当て周波数帯）は、複数のリソースブロックの個数分の帯域を有する。
【００３１】
図４は、無線基地局ｅＮＢ１−１サービング無線端末ＵＥ２−１及びサービング無線端末ＵＥ２−２との間の無線通信において利用可能な全周波数帯の構成を示す図である。図４に示すように、無線基地局ｅＮＢ１−１とサービング無線端末ＵＥ２−１及びサービング無線端末ＵＥ２−２との間の無線通信において利用可能な全周波数帯は、９６個のリソースブロック分の帯域を有する。また、全周波数帯は、２４個のリソースブロック分の帯域を有する周波数帯１乃至周波数帯４に分割されている。
【００３２】
下りリソースブロックは、時間方向に、下りの制御情報伝送用の制御情報チャネル（ＰＤＣＣＨ：Physical Downlink Control CHannel）と、下り方向のユーザデータ伝送用の共有データチャネル（ＰＤＳＣＨ：Physical Downlink Shared CHannel）とにより構成される。
【００３３】
一方、上りリソースブロックは、上りの無線通信に使用可能な全周波数帯の両端では、上りの制御情報伝送用の制御情報チャネル（ＰＵＣＣＨ：Physical Uplink Control CHannel）が構成され、中央部では、上りのユーザデータ伝送用の共有データチャネル（ＰＵＳＣＨ：Physical Uplink Shared CHannel）が構成される。
【００３４】
（２）無線基地局の構成
図５は、無線基地局ｅＮＢ１−１の構成図である。図５に示すように、無線基地局ｅＮＢ１−１は、複数のアンテナにアンテナウェイトを適用するアダプティブアレイ方式の無線基地局であり、制御部１０２、記憶部１０３、Ｉ／Ｆ部１０４、無線通信部１０６、変調・復調部１０７、アンテナ１０８Ａ、アンテナ１０８Ｂ、アンテナ１０８Ｃ、アンテナ１０８Ｄを含む。
【００３５】
制御部１０２は、例えばＣＰＵによって構成され、無線基地局ｅＮＢ１−１が具備する各種機能を制御する。制御部１０２は、サウンディング参照信号（ＳＲＳ）送信周波数帯設定部１１２、リソースブロック（ＲＢ）割当部１１４、及び、アンテナウェイト算出部１１６を含む。記憶部１０３は、例えばメモリによって構成され、無線基地局ｅＮＢ１−１における制御などに用いられる各種情報を記憶する。
【００３６】
Ｉ／Ｆ部１０４は、Ｘ２インタフェースを介して、他の無線基地局ｅＮＢとの間で通信可能である。また、Ｉ／Ｆ部１０４は、Ｓ１インターフェースを介して、図示しないＥＰＣ（Evolved Packet Core）、具体的には、ＭＭＥ（Mobility Management Entity）／Ｓ−ＧＷ（Serving Gateway）と通信可能である。
【００３７】
無線通信部１０６は、アンテナ１０８Ａ乃至アンテナ１０８Ｄを介して、サービング無線端末ＵＥ２−１及びサービング無線端末ＵＥ２−２から送信される上り無線信号を受信する。更に、無線通信部１０６は、受信した上り無線信号をベースバンド信号に変換（ダウンコンバート）し、変調・復調部１０７へ出力する。
【００３８】
変調・復調部１０７は、入力されたベースバンド信号の復調及び復号処理を行う。これにより、サービング無線端末ＵＥ２−１及びサービング無線端末ＵＥ２−２が送信した上り無線信号に含まれるデータが得られる。データは制御部１０２へ出力される。
【００３９】
また、変調・復調部１０７は、制御部１０２からのデータの符号化及び変調を行い、ベースバンド信号を得る。無線通信部１０６は、ベースバンド信号を下り無線信号に変換（アップコンバート）する。更に、無線通信部１０６は、アンテナ１０８Ａ乃至アンテナ１０８Ｄを介して、下り無線信号を送信する。
【００４０】
制御部１０２内のＳＲＳ送信周波数帯設定部１１２は、サービング無線端末ＵＥ２−１及びサービング無線端末ＵＥ２−２に対して、スペシャルサブフレームのタイミングで当該サービング無線端末ＵＥ２−１及びサービング無線端末ＵＥ２−２がサウンディング参照信号（ＳＲＳ）を送信する際に使用する周波数帯（ＳＲＳ送信周波数帯）を設定する。ここで、ＳＲＳは、無線基地局ｅＮＢ１−１におけるアンテナウェイトの算出で参照すべき信号であり、無線周波数帯の上り無線信号である。
【００４１】
本実施形態では、ＳＲＳ送信周波数帯は、図４に示す周波数帯１、周波数帯３、周波数帯２、周波数帯４の順序で切り替えられ、その後、再び、周波数帯１に戻るという周期的な切り替え順序で設定される。この場合、サービング無線端末ＵＥ２−１及びサービング無線端末ＵＥ２−２は、周波数帯１、周波数帯３、周波数帯２、周波数帯４の順序で切り替えながらＳＲＳを送信する処理（ＳＲＳホッピング送信）を行う。あるいは、ＳＲＳ送信周波数帯は、図４に示す全周波数帯が固定的に設定される。この場合、サービング無線端末ＵＥ２−１及びサービング無線端末ＵＥ２−２は、固定の全周波数帯を用いてＳＲＳを送信する処理（ＳＲＳ固定送信）を行う。
【００４２】
ＳＲＳ送信周波数帯設定部１１２は、所定のフレーム内のスペシャルサブフレームのタイミングでサービング無線端末ＵＥ２−１がＳＲＳを送信する際のＳＲＳ送信周波数帯を設定する場合、当該所定のフレームの２つ前のフレームの最後の下りリソースブロックのサブフレーム（図３のサブフレーム３１１）のタイミングで、設定したＳＲＳ送信周波数帯の情報をサービング無線端末ＵＥ２−１及びサービング無線端末ＵＥ２−２へ送信する。
【００４３】
具体的には、ＳＲＳ送信周波数帯設定部１１２は、以下の第１の処理及び第２の処理の何れかと、第２の処理とを行う。
【００４４】
（第１の処理）
第１の処理は、１つのサービング無線端末ＵＥ（ここでは、サービング無線端末ＵＥ２−１とする）に対してＳＲＳ送信周波数帯を設定する場合に行われる。なお、第１の処理の前提として、ＰＦ（Propotional Fair）方式による、サービング無線端末ＵＥ２−１に対する下りリソースブロックの割り当ての優先度は、予め定められた第２閾値で示される優先度と同一の優先度、又は、第２閾値で示される優先度よりも高い優先度であるものとする。
【００４５】
ＳＲＳ送信周波数帯設定部１１２は、サービング無線端末ＵＥ２−１への下りの送信予定のデータの量（下り送信予定データ量）が予め定められた第１閾値以上であるか否かを判定する。
【００４６】
下り送信予定データ量が第１閾値以上である場合、ＳＲＳ送信周波数帯設定部１１２は、図３（ｂ）に示すＳＲＳシンボル１のタイミングで、図４に示す固定の全周波数帯を用いたＳＲＳを送信することを要求するための処理を行う。具体的には、ＳＲＳ送信周波数帯設定部１１２は、ＲＲＣ  Ｃｏｎｎｅｃｔｉｏｎ  Ｒｅｃｏｎｆｉｇｕｒａｔｉｏｎ  メッセージの情報要素であるＳｏｕｎｄｉｎｇＲＳ−ＵＬ−Ｃｏｎｆｉｇに、固定の全周波数帯の帯域幅に対応するパラメータを設定する。また、ＳＲＳ送信周波数帯設定部１１２は、ＲＲＣ  Ｃｏｎｎｅｃｔｉｏｎ  Ｒｅｃｏｎｆｉｇｕｒａｔｉｏｎ  メッセージに、固定の全周波数帯の中心周波数の情報と、ＳＲＳシンボル１の情報とを設定する。
【００４７】
更に、ＳＲＳ送信周波数帯設定部１１２は、パラメータ、固定の全周波数帯の中心周波数の情報、及び、ＳＲＳシンボル１の情報（以下、これらをまとめて適宜「ＳＲＳ固定送信要求情報」と称する）が設定されたＲＲＣ  Ｃｏｎｎｅｃｔｉｏｎ  Ｒｅｃｏｎｆｉｇｕｒａｔｉｏｎ  メッセージを、図３（ａ）に示す下りリソースブロックのサブフレーム３１１のタイミングで変調・復調部１０７へ出力する。
【００４８】
変調・復調部１０７は、ＲＲＣ  Ｃｏｎｎｅｃｔｉｏｎ  Ｒｅｃｏｎｆｉｇｕｒａｔｉｏｎ  メッセージの符号化及び変調を行い、ベースバンド信号を得る。無線通信部１０６は、ベースバンド信号を下り無線信号に変換し、アンテナ１０８Ａ乃至アンテナ１０８Ｄを介して、サービング無線端末ＵＥ２−１へ下り無線信号を送信する。
【００４９】
但し、既に、ＳＲＳ固定送信要求情報が設定されたＲＲＣ  Ｃｏｎｎｅｃｔｉｏｎ  Ｒｅｃｏｎｆｉｇｕｒａｔｉｏｎ  メッセージに対応する下り無線信号を送信済みである場合には、ＳＲＳ送信周波数帯設定部１１２は、ＲＲＣ  Ｃｏｎｎｅｃｔｉｏｎ  Ｒｅｃｏｎｆｉｇｕｒａｔｉｏｎ  メッセージに対する、ＳＲＳ固定送信要求情報の設定を行わず、ＲＲＣ  Ｃｏｎｎｅｃｔｉｏｎ  Ｒｅｃｏｎｆｉｇｕｒａｔｉｏｎ  メッセージの出力も行わない。このため、ＳＲＳ固定送信要求情報が設定されたＲＲＣ  Ｃｏｎｎｅｃｔｉｏｎ  Ｒｅｃｏｎｆｉｇｕｒａｔｉｏｎ  メッセージに対応する下り無線信号の送信も行われない。
【００５０】
なお、既に、ＳＲＳ固定送信要求情報が設定されたＲＲＣ  Ｃｏｎｎｅｃｔｉｏｎ  Ｒｅｃｏｎｆｉｇｕｒａｔｉｏｎ  メッセージに対応する下り無線信号を送信済みである場合とは、ＳＲＳ固定送信要求情報が設定されたＲＲＣ  Ｃｏｎｎｅｃｔｉｏｎ  Ｒｅｃｏｎｆｉｇｕｒａｔｉｏｎ  メッセージに対応する下り無線信号が送信された後、後述するＳＲＳホッピング送信要求情報が設定されたＲＲＣ  Ｃｏｎｎｎｅｃｔｉｏｎ  Ｒｅｃｏｎｆｉｇｕｒａｔｉｏｎメッセージや、ＳＲＳ送信停止要求情報が設定されたＲＲＣ  Ｃｏｎｎｎｅｃｔｉｏｎ  Ｒｅｃｏｎｆｉｇｕｒａｔｉｏｎメッセージがサービング無線端末ＵＥ２−１へ送信されていない状態を意味する。
【００５１】
一方、下り送信予定データ量が第１閾値未満である場合、ＳＲＳ送信周波数帯設定部１１２は、図３（ｂ）に示すＳＲＳシンボル２のタイミングで、図４に示す周波数帯１乃至周波数帯４の何れかを用いたＳＲＳを送信することを要求するための処理を行う。具体的には、ＳＲＳ送信周波数帯設定部１１２は、ＲＲＣ  Ｃｏｎｎｅｃｔｉｏｎ  Ｒｅｃｏｎｆｉｇｕｒａｔｉｏｎ  メッセージの情報要素であるＳｏｕｎｄｉｎｇＲＳ−ＵＬ−Ｃｏｎｆｉｇに、周波数帯１乃至周波数帯４の何れかの帯域幅に対応するパラメータを設定する。また、ＳＲＳ送信周波数帯設定部１１２は、ＲＲＣ  Ｃｏｎｎｅｃｔｉｏｎ  Ｒｅｃｏｎｆｉｇｕｒａｔｉｏｎ  メッセージに、周波数帯１乃至周波数帯４の何れかの中心周波数の情報と、ＳＲＳシンボル２の情報とを設定する。
【００５２】
更に、ＳＲＳ送信周波数帯設定部１１２は、パラメータ、周波数帯１乃至周波数帯４の何れかの中心周波数の情報、及び、ＳＲＳシンボル２の情報（以下、これらをまとめて適宜「ＳＲＳホッピング送信要求情報」と称する）が設定されたＲＲＣ  Ｃｏｎｎｅｃｔｉｏｎ  Ｒｅｃｏｎｆｉｇｕｒａｔｉｏｎ  メッセージを、図３（ａ）に示す下りリソースブロックのサブフレーム３１１のタイミングで変調・復調部１０７へ出力する。
【００５３】
変調・復調部１０７は、ＲＲＣ  Ｃｏｎｎｅｃｔｉｏｎ  Ｒｅｃｏｎｆｉｇｕｒａｔｉｏｎ  メッセージの符号化及び変調を行い、ベースバンド信号を得る。無線通信部１０６は、ベースバンド信号を下り無線信号に変換し、アンテナ１０８Ａ乃至アンテナ１０８Ｄを介して、サービング無線端末ＵＥ２−１へ下り無線信号を送信する。
【００５４】
（第２の処理）
第２の処理は、サービング無線端末ＵＥ２−１及びサービング無線端末ＵＥ２−２に対してＳＲＳ送信周波数帯を設定する場合に行われる。なお、第２の処理の前提として、ＰＦ方式による、サービング無線端末ＵＥ２−１及びサービング無線端末ＵＥ２−２に対する下りリソースブロックの割り当ての優先度は、予め定められた第２閾値で示される優先度と同一の優先度、又は、第２式位置で示される優先度よりも高い優先度であるものとする。
【００５５】
ＳＲＳ送信周波数帯設定部１１２は、サービング無線端末ＵＥ２−１への下り送信予定データ量、及び、サービング無線端末ＵＥ２−２への下り送信データ量の何れかが予め定められた第１閾値以上であるか否かを判定する。
【００５６】
サービング無線端末ＵＥ２−１への下り送信予定データ量、及び、サービング無線端末ＵＥ２−２への下り送信データ量の何れかが第１閾値以上である場合、ＳＲＳ送信周波数帯設定部１１２は、サービング無線端末ＵＥ２−１及びサービング無線端末ＵＥ２−２のうち、対応する送信予定データ量が最大であるサービング無線端末ＵＥを選択する。
【００５７】
ＳＲＳ送信周波数帯設定部１１２は、選択したサービング無線端末に対して、図３（ｂ）に示すＳＲＳシンボル１のタイミングで、図４に示す固定の全周波数帯を用いたＳＲＳを送信することを要求するための処理を行う。具体的には、第１の処理と同様、ＳＲＳ送信周波数帯設定部１１２は、ＲＲＣ  Ｃｏｎｎｅｃｔｉｏｎ  Ｒｅｃｏｎｆｉｇｕｒａｔｉｏｎ  メッセージの情報要素であるＳｏｕｎｄｉｎｇＲＳ−ＵＬ−Ｃｏｎｆｉｇに、固定の全周波数帯の帯域幅に対応するパラメータを設定する。また、ＳＲＳ送信周波数帯設定部１１２は、ＲＲＣ  Ｃｏｎｎｅｃｔｉｏｎ  Ｒｅｃｏｎｆｉｇｕｒａｔｉｏｎ  メッセージに、固定の全周波数帯の中心周波数の情報と、ＳＲＳシンボル１の情報とを設定する。
【００５８】
更に、ＳＲＳ送信周波数帯設定部１１２は、パラメータ、固定の全周波数帯の中心周波数の情報、及び、ＳＲＳシンボル１の情報（ＳＲＳ固定送信要求情報）が設定されたＲＲＣ  Ｃｏｎｎｅｃｔｉｏｎ  Ｒｅｃｏｎｆｉｇｕｒａｔｉｏｎ  メッセージを、図３（ａ）に示す下りリソースブロックのサブフレーム３１１のタイミングで変調・復調部１０７へ出力する。
【００５９】
変調・復調部１０７は、ＲＲＣ  Ｃｏｎｎｅｃｔｉｏｎ  Ｒｅｃｏｎｆｉｇｕｒａｔｉｏｎ  メッセージの符号化及び変調を行い、ベースバンド信号を得る。無線通信部１０６は、ベースバンド信号を下り無線信号に変換し、アンテナ１０８Ａ乃至アンテナ１０８Ｄを介して、選択されたサービング無線端末ＵＥへ下り無線信号を送信する。
【００６０】
但し、既に、選択されたサービング無線端末ＵＥに対して、ＳＲＳ固定送信要求情報が設定されたＲＲＣ  Ｃｏｎｎｅｃｔｉｏｎ  Ｒｅｃｏｎｆｉｇｕｒａｔｉｏｎ  メッセージに対応する下り無線信号を送信済みである場合には、ＳＲＳ送信周波数帯設定部１１２は、ＲＲＣ  Ｃｏｎｎｅｃｔｉｏｎ  Ｒｅｃｏｎｆｉｇｕｒａｔｉｏｎ  メッセージに対する、ＳＲＳ固定送信要求情報の設定を行わず、ＲＲＣ  Ｃｏｎｎｅｃｔｉｏｎ  Ｒｅｃｏｎｆｉｇｕｒａｔｉｏｎ  メッセージの出力も行わない。このため、ＳＲＳ固定送信要求情報が設定されたＲＲＣ  Ｃｏｎｎｅｃｔｉｏｎ  Ｒｅｃｏｎｆｉｇｕｒａｔｉｏｎ  メッセージに対応する下り無線信号の送信も行われない。
【００６１】
なお、既に、選択されたサービング無線端末ＵＥに対して、ＳＲＳ固定送信要求情報が設定されたＲＲＣ  Ｃｏｎｎｅｃｔｉｏｎ  Ｒｅｃｏｎｆｉｇｕｒａｔｉｏｎ  メッセージに対応する下り無線信号を送信済みである場合とは、ＳＲＳ固定送信要求情報が設定されたＲＲＣ  Ｃｏｎｎｅｃｔｉｏｎ  Ｒｅｃｏｎｆｉｇｕｒａｔｉｏｎ  メッセージに対応する下り無線信号が送信された後、ＳＲＳホッピング送信要求情報が設定されたＲＲＣ  Ｃｏｎｎｎｅｃｔｉｏｎ  Ｒｅｃｏｎｆｉｇｕｒａｔｉｏｎメッセージや、ＳＲＳ送信停止要求情報が設定されたＲＲＣ  Ｃｏｎｎｎｅｃｔｉｏｎ  Ｒｅｃｏｎｆｉｇｕｒａｔｉｏｎメッセージが、選択されたサービング無線端末ＵＥへ送信されていない状態を意味する。
【００６２】
一方、ＳＲＳ送信周波数帯設定部１１２は、選択しなかった他のサービング無線端末ＵＥに対して、図３（ｂ）に示すＳＲＳシンボル２のタイミングで、図４に示す周波数帯１乃至周波数帯４の何れかを用いたＳＲＳを送信することを要求するための処理を行う。具体的には、ＳＲＳ送信周波数帯設定部１１２は、ＲＲＣ  Ｃｏｎｎｅｃｔｉｏｎ  Ｒｅｃｏｎｆｉｇｕｒａｔｉｏｎ  メッセージの情報要素であるＳｏｕｎｄｉｎｇＲＳ−ＵＬ−Ｃｏｎｆｉｇに、周波数帯１乃至周波数帯４の何れかの帯域幅に対応するパラメータを設定する。また、ＳＲＳ送信周波数帯設定部１１２は、ＲＲＣ  Ｃｏｎｎｅｃｔｉｏｎ  Ｒｅｃｏｎｆｉｇｕｒａｔｉｏｎ  メッセージに、周波数帯１乃至周波数帯４の何れかの中心周波数の情報と、ＳＲＳシンボル２の情報とを設定する。なお、ＳＲＳ送信周波数帯設定部１１２は、選択しなかった他のサービング無線端末が複数存在する場合には、当該他のサービング無線端末が、異なる周波数帯を用いたＳＲＳを送信するように、パラメータの設定を行う。
【００６３】
更に、ＳＲＳ送信周波数帯設定部１１２は、パラメータ、周波数帯１乃至周波数帯４の何れかの中心周波数の情報、及び、ＳＲＳシンボル２の情報（ＳＲＳホッピング送信要求情報）が設定されたＲＲＣ  Ｃｏｎｎｅｃｔｉｏｎ  Ｒｅｃｏｎｆｉｇｕｒａｔｉｏｎ  メッセージを、図３（ａ）に示す下りリソースブロックのサブフレーム３１１のタイミングで変調・復調部１０７へ出力する。
【００６４】
変調・復調部１０７は、ＲＲＣ  Ｃｏｎｎｅｃｔｉｏｎ  Ｒｅｃｏｎｆｉｇｕｒａｔｉｏｎ  メッセージの符号化及び変調を行い、ベースバンド信号を得る。無線通信部１０６は、ベースバンド信号を下り無線信号に変換し、アンテナ１０８Ａ乃至アンテナ１０８Ｄを介して、選択されなかった他のサービング無線端末ＵＥへ下り無線信号を送信する。
【００６５】
また、サービング無線端末ＵＥ２−１への下り送信予定データ量、及び、サービング無線端末ＵＥ２−２への下り送信データ量の何れもが第１閾値未満である場合、ＳＲＳ送信周波数帯設定部１１２は、サービング無線端末ＵＥ２−１及びサービング無線端末ＵＥ２−２に対して、図３（ｂ）に示すＳＲＳシンボル２のタイミングで、図４に示す周波数帯１乃至周波数帯４の何れかを用いたＳＲＳを送信することを要求するための処理を行う。具体的には、ＳＲＳ送信周波数帯設定部１１２は、ＲＲＣ  Ｃｏｎｎｅｃｔｉｏｎ  Ｒｅｃｏｎｆｉｇｕｒａｔｉｏｎ  メッセージの情報要素であるＳｏｕｎｄｉｎｇＲＳ−ＵＬ−Ｃｏｎｆｉｇに、周波数帯１乃至周波数帯４の何れかの帯域幅に対応するパラメータを設定する。また、ＳＲＳ送信周波数帯設定部１１２は、ＲＲＣ  Ｃｏｎｎｅｃｔｉｏｎ  Ｒｅｃｏｎｆｉｇｕｒａｔｉｏｎ  メッセージに、周波数帯１乃至周波数帯４の何れかの中心周波数の情報と、ＳＲＳシンボル２の情報とを設定する。なお、ＳＲＳ送信周波数帯設定部１１２は、サービング無線端末ＵＥ２−１及びサービング無線端末ＵＥ２−２が、異なる周波数帯を用いたＳＲＳを送信するように、パラメータの設定を行う。
【００６６】
更に、ＳＲＳ送信周波数帯設定部１１２は、パラメータ、周波数帯１乃至周波数帯４の何れかの中心周波数の情報、及び、ＳＲＳシンボル２の情報（ＳＲＳホッピング送信要求情報）が設定されたＲＲＣ  Ｃｏｎｎｅｃｔｉｏｎ  Ｒｅｃｏｎｆｉｇｕｒａｔｉｏｎ  メッセージを、図３（ａ）に示す下りリソースブロックのサブフレーム３１１のタイミングで変調・復調部１０７へ出力する。
【００６７】
変調・復調部１０７は、ＲＲＣ  Ｃｏｎｎｅｃｔｉｏｎ  Ｒｅｃｏｎｆｉｇｕｒａｔｉｏｎ  メッセージの符号化及び変調を行い、ベースバンド信号を得る。無線通信部１０６は、ベースバンド信号を下り無線信号に変換し、アンテナ１０８Ａ乃至アンテナ１０８Ｄを介して、サービング無線端末ＵＥ２−１及びサービング無線端末ＵＥ２−２へ下り無線信号を送信する。
【００６８】
（第３の処理）
第３の処理は、上述した第１の処理及び第２の処理の後に行われる。
【００６９】
ＳＲＳ送信周波数帯設定部１１２は、ＳＲＳの送信を要求したサービング無線端末ＵＥ（第１の処理の後の場合はサービング無線端末ＵＥ２−１、第２の処理の後の場合はサービング無線端末ＵＥ２−１及びサービング無線端末ＵＥ２−２）のＰＦ方式による下りリソースブロックの割り当ての優先度（以下、「ＰＦ優先度」と称する）が予め定められた第２閾値で示される優先度未満に低下したか否かを判定する。
【００７０】
ＳＲＳの送信を要求したサービング無線端末ＵＥのＰＦ優先度が第２閾値で示される優先度未満に低下した場合、ＳＲＳ送信周波数帯設定部１１２は、当該ＰＦ優先度が第２閾値で示される優先度未満に低下したサービング無線端末ＵＥに対して、ＳＲＳの送信停止を要求するための処理を行う。具体的には、ＳＲＳ送信周波数帯設定部１１２は、ＲＲＣ  Ｃｏｎｎｅｃｔｉｏｎ  Ｒｅｃｏｎｆｉｇｕｒａｔｉｏｎ  メッセージに、ＳＲＳの送信停止を要求するための情報（ＳＲＳ送信停止要求情報）を設定する。
【００７１】
更に、ＳＲＳ送信周波数帯設定部１１２は、ＳＲＳ送信停止要求情報が設定されたＲＲＣ  Ｃｏｎｎｅｃｔｉｏｎ  Ｒｅｃｏｎｆｉｇｕｒａｔｉｏｎ  メッセージを、図３（ａ）に示す下りリソースブロックのサブフレーム３１１のタイミングで変調・復調部１０７へ出力する。
【００７２】
変調・復調部１０７は、ＲＲＣ  Ｃｏｎｎｅｃｔｉｏｎ  Ｒｅｃｏｎｆｉｇｕｒａｔｉｏｎ  メッセージの符号化及び変調を行い、ベースバンド信号を得る。無線通信部１０６は、ベースバンド信号を下り無線信号に変換し、アンテナ１０８Ａ乃至アンテナ１０８Ｄを介して、ＳＲＳの送信停止を要求する相手であるサービング無線端末ＵＥへ下り無線信号を送信する。
【００７３】
上述した第１の処理又は第２の処理によって、無線基地局ｅＮＢ１−１が、ＲＲＣ  Ｃｏｎｎｅｃｔｉｏｎ  Ｒｅｃｏｎｆｉｇｕｒａｔｉｏｎ  メッセージを送信すると、サービング無線端末ＵＥは、ＲＲＣ  Ｃｏｎｎｅｃｔｉｏｎ  Ｒｅｃｏｎｆｉｇｕｒａｔｉｏｎ  メッセージに対応する下り無線信号を受信する。
【００７４】
更に、サービング無線端末ＵＥは、ＲＲＣ  Ｃｏｎｎｅｃｔｉｏｎ  Ｒｅｃｏｎｆｉｇｕｒａｔｉｏｎ  メッセージに設定されているパラメータと、セル３−１に対応して静的に定められているパラメータとに基づいて、ＳＲＳ送信周波数帯の帯域幅を認識する。また、サービング無線端末ＵＥは、ＲＲＣ  Ｃｏｎｎｅｃｔｉｏｎ  Ｒｅｃｏｎｆｉｇｕｒａｔｉｏｎ  メッセージに設定されているＳＲＳ送信周波数帯の中心周波数の情報に基づいて、ＳＲＳ送信周波数帯の中心周波数を認識する。
【００７５】
更に、サービング無線端末ＵＥは、ＲＲＣ  Ｃｏｎｎｅｃｔｉｏｎ  Ｒｅｃｏｎｆｉｇｕｒａｔｉｏｎ  メッセージに設定されているＳＲＳシンボル１又はＳＲＳシンボル２の情報に基づいて、ＳＲＳの送信タイミングを認識する。
【００７６】
サービング無線端末ＵＥは、ＲＲＣ  Ｃｏｎｎｅｃｔｉｏｎ  Ｒｅｃｏｎｆｉｇｕｒａｔｉｏｎ  メッセージの受信時のフレームの２つ後のフレームにおけるスペシャルサブフレームにおける、認識したＳＲＳシンボルのタイミングで、認識したＳＲＳ送信周波数帯を用いてＳＲＳを送信する。
【００７７】
また、上述した第３の処理によって、無線基地局ｅＮＢ１−１が、ＲＲＣ  Ｃｏｎｎｅｃｔｉｏｎ  Ｒｅｃｏｎｆｉｇｕｒａｔｉｏｎ  メッセージを送信すると、サービング無線端末ＵＥは、ＲＲＣ  Ｃｏｎｎｅｃｔｉｏｎ  Ｒｅｃｏｎｆｉｇｕｒａｔｉｏｎ  メッセージに対応する下り無線信号を受信する。
【００７８】
更に、サービング無線端末ＵＥは、ＲＲＣ  Ｃｏｎｎｅｃｔｉｏｎ  Ｒｅｃｏｎｆｉｇｕｒａｔｉｏｎ  メッセージに設定されているＳＲＳ送信停止要求情報に基づいて、ＳＲＳの送信を停止すべきであることを認識する。更に、サービング無線端末ＵＥは、その後のＳＲＳの送信を停止する。
【００７９】
サービング無線端末ＵＥがＳＲＳを送信した場合には、無線基地局ｅＮＢ１−１は、以下の処理を行う。
【００８０】
無線基地局ｅＮＢ１−１内の無線通信部１０６は、アンテナ１０８Ａ乃至アンテナ１０８Ｄを介して、サービング無線端末ＵＥから送信されるＳＲＳを受信する。更に、無線通信部１０６は、受信したＳＲＳをベースバンド信号に変換し、変調・復調部１０７へ出力する。また、無線通信部１０６は、受信したＳＲＳの周波数帯の情報を制御部１０２へ出力する。変調・復調部１０７は、入力されたベースバンド信号の復調及び復号処理を行う。これにより、サービング無線端末ＵＥが送信したＳＲＳに含まれるデータが得られる。データは制御部１０２へ出力される。
【００８１】
ＲＢ割当部１１４は、サービング無線端末ＵＥに対して、下りリソースブロックを割り当てる。具体的には、ＲＢ割当部１１４は、最新に受信したＳＲＳの周波数帯に含まれる下りリソースブロックをサービング無線端末ＵＥ２−１に割り当てる。次に、ＲＢ割当部１１４は、割り当てる下りリソースブロックの時間帯を決定する。ここで、ＲＢ割当部１１４は、最新のＳＲＳの受信タイミングがＳＲＳシンボル１のタイミングである場合には、当該ＳＲＳシンボル１を含むスペシャルサブフレームの次のスペシャルサブフレームを選択する。更に、ＲＢ割当部１１４は、選択したスペシャルサブフレームの１つ前のサブフレームの時間帯を、割り当てる下りリソースブロックの時間帯として決定する。また、ＲＢ割当部１１４は、最新のＳＲＳの受信タイミングがＳＲＳシンボル２のタイミングである場合には、当該ＳＲＳシンボル２を含むスペシャルサブフレームの次のスペシャルサブフレームを選択する。更に、ＲＢ割当部１１４は、選択したスペシャルサブフレームの２つ前のサブフレームの時間帯を、割り当てる下りリソースブロックの時間帯として決定する。
【００８２】
更に、ＲＢ割当部１１４は、決定した下りリソースブロックの周波数帯及び時間帯を一意に特定可能な下りＲＢ割当値を生成する。下りＲＢ割当値は、媒体アクセス制御（ＭＡＣ）層の処理によって得られる。下りＲＢ割当値には、サービング無線端末ＵＥに対して割り当てられる下りリソースブロックの時間帯と周波数帯とを一意に識別する情報であるリソースブロック番号が含まれる。
【００８３】
ＲＢ割当部１１４は、下りＲＢ割当値を、変調・復調部１０７、無線通信部１０６及びアンテナ１０８Ａ乃至アンテナ１０８Ｄを介して、サービング無線端末ＵＥへ送信する。
【００８４】
図６及び図７は、ＳＲＳの周波数帯と、割り当てられる下りリソースブロックとの対応の例を示す図である。
【００８５】
図６は、ＳＲＳ送信周波数帯設定部１１２により上述した第１の処理及び第３の処理が行われる場合の例である。ＲＢ割当部１１４は、スペシャルサブフレーム３０１のＳＲＳシンボル２のタイミングで周波数帯１のＳＲＳを受信すると、次のスペシャルサブフレーム３０３の１つ前のサブフレーム３０２のタイミングで、周波数帯１に含まれる下りリソースブロックを割り当てる。
【００８６】
次に、ＲＢ割当部１１４は、スペシャルサブフレーム３０３のＳＲＳシンボル２のタイミングで周波数帯３のＳＲＳを受信すると、次のスペシャルサブフレーム３０５の１つ前のサブフレーム３０４のタイミングで、周波数帯３に含まれる下りリソースブロックを割り当てる。
【００８７】
更に、ＲＢ割当部１１４は、スペシャルサブフレーム３０５のＳＲＳシンボル１のタイミングで全周波数帯（周波数帯１乃至周波数帯４）のＳＲＳを受信すると、次のスペシャルサブフレーム３０７の２つ前のサブフレーム３０６のタイミングで、全周波数帯に含まれる下りリソースブロックを割り当てる。
【００８８】
その後、サービング無線端末ＵＥ２−１のＰＦ優先度が第２閾値で示される優先度未満に低下し、当該サービング無線端末ＵＥ２−１がＳＲＳの送信を停止した場合には、以下の処理が行われる。すなわち、無線基地局ｅＮＢ１−１がスペシャルサブフレーム３０８のタイミングでＳＲＳを受信できなかった場合には、ＲＢ割当部１１４は、スペシャルサブフレームのタイミングでの下りリソースブロックの割り当てを停止する。
【００８９】
図７は、ＳＲＳ送信周波数帯設定部１１２により上述した第２の処理が行われる場合の例である。ＲＢ割当部１１４は、スペシャルサブフレーム３２１のＳＲＳシンボル２のタイミングで、サービング無線端末ＵＥ２−１からの周波数帯１のＳＲＳを受信するとともに、サービング無線端末ＵＥ２−２からの周波数帯２のＳＲＳを受信すると、次のスペシャルサブフレーム３２３の１つ前のサブフレーム３２２のタイミングで、サービング無線端末ＵＥ２−１に対して周波数帯１に含まれる下りリソースブロックを割り当てるとともに、サービング無線端末ＵＥ２−２に対して周波数帯２に含まれる下りリソースブロックを割り当てる。
【００９０】
次に、ＲＢ割当部１１４は、スペシャルサブフレーム３２３のＳＲＳシンボル２のタイミングで、サービング無線端末ＵＥ２−１からの周波数帯３のＳＲＳを受信するとともに、サービング無線端末ＵＥ２−２からの周波数帯４のＳＲＳを受信すると、次のスペシャルサブフレーム３２５の１つ前のサブフレーム３２４のタイミングで、サービング無線端末ＵＥ２−１に対して周波数帯３に含まれる下りリソースブロックを割り当てるとともに、サービング無線端末ＵＥ２−２に対して周波数帯４に含まれる下りリソースブロックを割り当てる。
【００９１】
その後、サービング無線端末ＵＥ２−１への下り送信予定データ量が第１閾値以上となった場合には、以下の処理が行われる。すなわち、ＲＢ割当部１１４は、スペシャルサブフレーム３２５のＳＲＳシンボル１のタイミングで、サービング無線端末ＵＥ２−１からの全周波数帯（周波数帯１乃至周波数帯４）のＳＲＳを受信し、スペシャルサブフレーム３２５のＳＲＳシンボル２のタイミングで、サービング無線端末ＵＥ２−２からの周波数帯１のＳＲＳを受信すると、次のスペシャルサブフレーム３２８の２つ前のサブフレーム３２６のタイミングで、サービング無線端末ＵＥ２−１に対して全周波数帯に含まれる下りリソースブロックを割り当て、次のスペシャルサブフレーム３２８の１つ前のサブフレーム３２７のタイミングで、サービング無線端末ＵＥ２−１に対して周波数帯１に含まれる下りリソースブロックを割り当てる。
【００９２】
その後、サービング無線端末ＵＥ２−１への下り送信予定データ量が第１閾値未満となり、サービング無線端末ＵＥ２−２への下り送信予定データ量が第１閾値以上になった場合には、以下の処理が行われる。すなわち、ＲＢ割当部１１４は、スペシャルサブフレーム３３１のＳＲＳシンボル１のタイミングで、サービング無線端末ＵＥ２−２からの全周波数帯（周波数帯１乃至周波数帯４）のＳＲＳを受信し、スペシャルサブフレーム３３１のＳＲＳシンボル２のタイミングで、サービング無線端末ＵＥ２−１からの周波数帯１のＳＲＳを受信すると、次のスペシャルサブフレーム３３４の２つ前のサブフレーム３３２のタイミングで、サービング無線端末ＵＥ２−２に対して全周波数帯に含まれる下りリソースブロックを割り当て、次のスペシャルサブフレーム３３４の１つ前のサブフレーム３３３のタイミングで、サービング無線端末ＵＥ２−２に対して周波数帯１に含まれる下りリソースブロックを割り当てる。
【００９３】
その後、サービング無線端末ＵＥ２−１への下り送信予定データ量及びサービング無線端末ＵＥ２−２への下り送信予定データ量が何れも第１閾値未満になった場合には、以下の処理が行われる。すなわち、ＲＢ割当部１１４は、スペシャルサブフレーム３３４のＳＲＳシンボル２のタイミングで、サービング無線端末ＵＥ２−１からの周波数帯３のＳＲＳを受信するとともに、サービング無線端末ＵＥ２−２からの周波数帯４のＳＲＳを受信すると、次のスペシャルサブフレーム３３６の１つ前のサブフレーム３３５のタイミングで、サービング無線端末ＵＥ２−１に対して周波数帯３に含まれる下りリソースブロックを割り当てるとともに、サービング無線端末ＵＥ２−２に対して周波数帯４に含まれる下りリソースブロックを割り当てる。
【００９４】
ＲＢ割当部１１４によって下りリソースブロックが割り当てられた後、アンテナウェイト算出部１１６は、各アンテナ１０８Ａ乃至アンテナ１０８Ｄについて、割り当てた下りリソースブロックを用いた下り無線信号の送信時のアンテナウェイト（送信ウェイト）を算出する。
【００９５】
具体的には、アンテナウェイト算出部１１６は、ＲＢ割当部１１４により生成された下りＲＢ割当値に基づいて、サービング無線端末ＵＥ２−１及びサービング無線端末ＵＥ２−２のぞれぞれに対して割り当てた下りリソースブロックの周波数帯を特定する。
【００９６】
次に、アンテナウェイト算出部１１６は、最新に受信されたＳＲＳに基づいて、サービング無線端末ＵＥ２−１及びサービング無線端末ＵＥ２−２のぞれぞれに対して割り当てた下りリソースブロックの周波数帯毎に、送信ウェイトを算出する。ここで、アンテナウェイト算出部１１６は、サービング無線端末ＵＥ２−１及びサービング無線端末ＵＥ２−２のそれぞれからのＳＲＳ毎に、当該ＳＲＳの受信時において信号対干渉雑音比（ＳＩＮＲ）が最大となるアンテナウェイト（受信ウェイト）を算出する。
【００９７】
更に、アンテナウェイト算出部１１６は、サービング無線端末ＵＥ２−１からのＳＲＳに対応する受信ウェイトを、サービング無線端末ＵＥ２−１に対して割り当てた下りリソースブロックの周波数帯の送信ウェイトとし、サービング無線端末ＵＥ２−２からのＳＲＳに対応する受信ウェイトを、サービング無線端末ＵＥ２−２に対して割り当てた下りリソースブロックの周波数帯の送信ウェイトとする。
【００９８】
算出された各アンテナ１０８Ａ乃至アンテナ１０８Ｄ毎の受信ウェイトは、サービング無線端末ＵＥ２−１及びサービング無線端末ＵＥ２−２からの上り無線信号の受信時においてＳＩＮＲが最大となるアンテナウェイトである。従って、当該受信ウェイトが送信ウェイトとして設定されることにより、当該送信ウェイトは、サービング無線端末ＵＥ２−１に対する下り無線信号の送信時にビームの希望波方向がサービング無線端末ＵＥ２−１に向くアンテナウェイトと、サービング無線端末ＵＥ２−２に対する下り無線信号の送信時にビームの希望波方向がサービング無線端末ＵＥ２−２に向くアンテナウェイトとなる。
【００９９】
その後、制御部１０２は、割り当てた下りリソースブロックを用いて、変調・復調部１０７、無線通信部１０６及びアンテナ１０８Ａ乃至アンテナ１０８Ｄを介して、サービング無線端末ＵＥ２−１及びサービング無線端末ＵＥ２−２へ下り無線信号を送信する。
【０１００】
（３）無線基地局の動作
図８及び図９は、無線基地局ｅＮＢ１−１の動作を示すフローチャートである。
【０１０１】
図８に示す動作は、上述した第１の処理及び第３の処理が行われる場合の動作である。ステップＳ１０１において、無線基地局ｅＮＢ１−１は、サービング無線端末ＵＥ２−１への下り送信予定データ量が第１閾値以上であるか否かを判定する。
【０１０２】
下り送信予定データ量が第１閾値以上である場合、ステップＳ１０２において、無線基地局ｅＮＢ１−１は、ＳＲＳ固定送信要求情報が設定されたＲＲＣ  Ｃｏｎｎｅｃｔｉｏｎ  Ｒｅｃｏｎｆｉｇｕｒａｔｉｏｎ  メッセージを、既にサービング無線端末ＵＥ２−１へ送信済みであるか否かを判定する。
【０１０３】
ＳＲＳ固定送信要求情報が設定されたＲＲＣ  Ｃｏｎｎｅｃｔｉｏｎ  Ｒｅｃｏｎｆｉｇｕｒａｔｉｏｎ  メッセージを送信済みでない場合、ステップＳ１０３において、無線基地局ｅＮＢ１−１は、ＳＲＳ固定送信要求情報が設定されたＲＲＣ  Ｃｏｎｎｅｃｔｉｏｎ  Ｒｅｃｏｎｆｉｇｕｒａｔｉｏｎ  メッセージを、サービング無線端末ＵＥ２−１へ送信する。
【０１０４】
一方、下り送信予定データ量が第１閾値未満である場合、ステップＳ１０４において、無線基地局ｅＮＢ１−１は、ＳＲＳホッピング送信要求情報が設定されたＲＲＣ  Ｃｏｎｎｅｃｔｉｏｎ  Ｒｅｃｏｎｆｉｇｕｒａｔｉｏｎ  メッセージを、サービング無線端末ＵＥ２−１へ送信する。
【０１０５】
ステップＳ１０２で肯定判断された後、ステップＳ１０３の後、又は、ステップＳ１０４の後、ステップＳ１０５において、無線基地局ｅＮＢ１−１は、サービング無線端末ＵＥ２−１に対応するＰＦ優先度が第２閾値で示される優先度未満に低下したか否かを判定する。
【０１０６】
サービング無線端末ＵＥ２−１に対応するＰＦ優先度が第２閾値で示される優先度未満に低下した場合、ステップＳ１０６において、無線基地局ｅＮＢ１−１は、ＳＲＳ送信停止要求情報が設定されたＲＲＣ  Ｃｏｎｎｅｃｔｉｏｎ  Ｒｅｃｏｎｆｉｇｕｒａｔｉｏｎ  メッセージを、サービング無線端末ＵＥ２−１へ送信する。
【０１０７】
一方、サービング無線端末ＵＥ２−１に対応するＰＦ優先度が第２閾値で示される優先度未満でない場合には、ステップＳ１０１以降の動作が繰り返される。また、ステップＳ１０５の後も、ステップＳ１０１以降の動作が繰り返される。
【０１０８】
図９に示す動作は、上述した第２の処理及び第３の処理が行われる場合の動作である。ステップＳ２０１において、無線基地局ｅＮＢ１−１は、サービング無線端末ＵＥ２−１及びサービング無線端末ＵＥ２−２への下り送信予定データ量の何れかが第１閾値以上であるか否かを判定する。
【０１０９】
サービング無線端末ＵＥ２−１及びサービング無線端末ＵＥ２−２への下り送信予定データ量の何れかが第１閾値以上である場合、ステップＳ２０２において、無線基地局ｅＮＢ１−１は、下り送信予定データ量が最大であるサービング無線端末ＵＥを選択する。
【０１１０】
ステップＳ２０３において、無線基地局ｅＮＢ１−１は、ＳＲＳ固定送信要求情報が設定されたＲＲＣ  Ｃｏｎｎｅｃｔｉｏｎ  Ｒｅｃｏｎｆｉｇｕｒａｔｉｏｎ  メッセージを、既に、選択したサービング無線端末ＵＥへ送信済みであるか否かを判定する。
【０１１１】
ＳＲＳ固定送信要求情報が設定されたＲＲＣ  Ｃｏｎｎｅｃｔｉｏｎ  Ｒｅｃｏｎｆｉｇｕｒａｔｉｏｎ  メッセージを送信済みでない場合、ステップＳ２０４において、無線基地局ｅＮＢ１−１は、選択したサービング無線端末ＵＥへＳＲＳ固定送信要求情報が設定されたＲＲＣ  Ｃｏｎｎｅｃｔｉｏｎ  Ｒｅｃｏｎｆｉｇｕｒａｔｉｏｎ  メッセージを送信する。
【０１１２】
ステップＳ２０３で肯定判断の後、又は、ステップＳ２０４の後、ステップＳ２０５において、無線基地局ｅＮＢ１−１は、選択しなかった他のサービング無線端末ＵＥへＳＲＳホッピング送信要求情報が設定されたＲＲＣ  Ｃｏｎｎｅｃｔｉｏｎ  Ｒｅｃｏｎｆｉｇｕｒａｔｉｏｎ  メッセージを送信する。
【０１１３】
一方、サービング無線端末ＵＥ２−１及びサービング無線端末ＵＥ２−２への下り送信予定データ量の何れかが第１閾値未満である場合、ステップＳ２０６において、無線基地局ｅＮＢ１−１は、ＳＲＳホッピング送信要求情報が設定されたＲＲＣ  Ｃｏｎｎｅｃｔｉｏｎ  Ｒｅｃｏｎｆｉｇｕｒａｔｉｏｎ  メッセージを、サービング無線端末ＵＥ２−１及びサービング無線端末ＵＥ２−２へ送信する。
【０１１４】
ステップＳ２０５又はステップＳ２０６の後、ステップＳ２０７において、無線基地局ｅＮＢ１−１は、サービング無線端末ＵＥ２−１及びサービング無線端末ＵＥ２−２の何れかに対応するＰＦ優先度が第２閾値で示される優先度未満に低下したか否かを判定する。
【０１１５】
サービング無線端末ＵＥ２−１及びサービング無線端末ＵＥ２−２の何れかに対応するＰＦ優先度が第２閾値で示される優先度未満に低下した場合、ステップＳ２０８において、無線基地局ｅＮＢ１−１は、第２閾値で示される優先度未満に低下したＰＦ優先度に対応するサービング無線端末ＵＥに対して、ＳＲＳ送信停止要求情報が設定されたＲＲＣ  Ｃｏｎｎｅｃｔｉｏｎ  Ｒｅｃｏｎｆｉｇｕｒａｔｉｏｎ  メッセージを送信する。
【０１１６】
一方、サービング無線端末ＵＥ２−１及びサービング無線端末ＵＥ２−２に対応するＰＦ優先度が何れも第２閾値で示される優先度未満でない場合には、ステップＳ２０１以降の動作が繰り返される。また、ステップＳ２０８の後も、ステップＳ２０１以降の動作が繰り返される。
【０１１７】
（４）作用・効果
以上説明したように、本実施形態によれば、無線基地局ｅＮＢ１−１は、サービング無線端末ＵＥに対する下り送信予定データ量に応じて、固定の全周波数帯でのＳＲＳの送信を要求するＳＲＳ固定送信要求情報が設定されたＲＲＣ  Ｃｏｎｎｎｅｃｔｉｏｎ  Ｒｅｃｏｎｆｉｇｕｒａｔｉｏｎメッセージの送信と、周波数帯１乃至周波数帯４の何れかでのＳＲＳの送信を要求するＳＲＳホッピング送信要求情報が設定されたＲＲＣ  Ｃｏｎｎｎｅｃｔｉｏｎ  Ｒｅｃｏｎｆｉｇｕｒａｔｉｏｎメッセージの送信とを使い分ける。この場合、無線基地局ｅＮＢ１−１は、既に固定の全周波数帯でのＳＲＳの送信を要求するＳＲＳ固定送信要求情報が設定されたＲＲＣ  Ｃｏｎｎｎｅｃｔｉｏｎ  Ｒｅｃｏｎｆｉｇｕｒａｔｉｏｎメッセージを送信済みである場合には、更なるＳＲＳ固定送信要求情報が設定されたＲＲＣ  Ｃｏｎｎｎｅｃｔｉｏｎ  Ｒｅｃｏｎｆｉｇｕｒａｔｉｏｎメッセージの送信を行わない。従って、サービング無線端末ＵＥに対するＳＲＳの送信要求を減らし、下りリソースブロックを効率的に利用することが可能となる。
【０１１８】
また、本実施形態では、ＳＲＳの送信時間帯と、当該ＳＲＳに基づいて割り当てられる下りリソースブロックのタイミングとが対応付けられている。具体的には、ＳＲＳシンボル１と、当該ＳＲＳシンボル１を含むスペシャルサブフレームの次のスペシャルサブフレームの２つ前のサブフレームに対応する下りリソースブロックとが対応付けられるとともに、ＳＲＳシンボル２と、当該ＳＲＳシンボル２を含むスペシャルサブフレームの次のスペシャルサブフレームの１つ前のサブフレームに対応する下りリソースブロックとが対応付けられる。従って、無線基地局ｅＮＢ１−１は、周波数帯が重複するがタイミングが異なる下りリソースブロックを、サービング無線端末ＵＥ２−１及びサービング無線端末ＵＥ２−２に容易に割り当てることができる。
【０１１９】
（５）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１２０】
上述した実施形態では、スペシャルサブフレームのタイミングをサービング無線端末ＵＥ２−１におけるＳＲＳの送信タイミングとした。しかし、ＳＲＳの送信タイミングは、これに限定されず、予め無線基地局ｅＮＢ１−１とサービング無線端末ＵＥ２との間で合意されているタイミングであればよい。但し、ＳＲＳの送信タイミングは、少なくとも１フレームの時間内に一度存在することが好ましい。
【０１２１】
また、上述した実施形態では、無線基地局ｅＮＢ１−１は、受信ウェイトを送信ウェイトとして用いたが、受信ウェイトとは無関係に送信ウェイトを算出するようにしてもよい。
【０１２２】
上述した実施形態では、ＴＤＤ−ＬＴＥの無線通信システムについて説明したが、無線端末に割り当てられる上り無線信号の周波数帯と、下り無線信号の周波数帯とが異なる、上下非対称通信が採用される無線通信システムであれば、同様に本発明を適用できる。
【０１２３】
上述した実施形態では、ＳＲＳ固定送信要求情報は、ＳＲＳシンボル１の情報を含んでいたが、これに限られない。ＳＲＳ固定送信要求情報は、ＳＲＳシンボル１の情報を含まなくてもよい。例えば、ＳＲＳ固定送信要求情報は、パラメータ及び固定の全周波数帯の中心周波数の情報のみを含んでいてもよい。
【０１２４】
上述した実施形態では、ＳＲＳホッピング送信要求情報は、ＳＲＳシンボル２の情報を含んでいたが、これに限られない。ＳＲＳホッピング送信要求情報は、ＳＲＳシンボル２の情報を含まなくてもよい。例えば、ＳＲＳホッピング送信要求情報は、パラメータ及び周波数帯１乃至周波数帯４の何れかの中心周波数の情報のみを含んでいてもよい。
【０１２５】
このように本発明は、ここでは記載していない様々な実施形態等を包含するということを理解すべきである。したがって、本発明はこの開示から妥当な請求の範囲の発明特定事項によってのみ限定されるものである。  
【０１２６】
なお、日本国特許出願第２０１０−１９１３５１号（２０１０年８月２７日出願）、及び、日本国特許出願第２０１０−１９１３５２号（２０１０年８月２７日出願）の全内容が、参照により、本願明細書に組み込まれている。
【産業上の利用可能性】
【０１２７】
本発明によれば、無線リソースの利用効率を向上できる。
【図１】
0005486090.tif 000002
【図２】
0005486090.tif 000003
【図３】
0005486090.tif 000004
【図４】
0005486090.tif 000005
【図５】
0005486090.tif 000006
【図６】
0005486090.tif 000007
【図７】
0005486090.tif 000008
【図８】
0005486090.tif 000009
【図９】
0005486090.tif 000010